(57)【要約】【課題】靴下等の下半身用衣類の装着が一人で確実に行うことができ、しかも折りたたんで鞄等に収納可能で携帯性が高く、また非力な高齢者や患者にも操作の負担が少ない下半身用衣類装着補助具を提供する。【解決手段】長尺状のベルト１と、ベルト１の長手方向の少なくとも一方端に設けられ、下半身用衣類の開口部に挟着されるクリップ２ａと、一方端側がクリップ２ａに接続し、他方端側に輪状部３１が形成され、クリップ側と反対方向に引かれることにより、クリップ２ａの挟着状態を解除するワイヤ３とを備え、ベルト１は、ワイヤ３がベルト１から離間するのを防止する袋状部４を有することを特徴とする。【選択図】図１０
2019072051.tif 000002
【特許請求の範囲】
【請求項１】
下半身用衣類の所望の装着位置までの引き上げを補助する下半身用衣類装着補助具であって、
長尺状のベルトと、
前記ベルトの長手方向の少なくとも一方端に設けられ、下半身用衣類の開口部に挟着されるクリップと、
一方端側が前記クリップに接続し、他方端側に持ち手部が形成され、前記クリップ側と反対方向に引かれることにより、前記クリップの挟着状態を解除する引き紐と、
を備え、
前記ベルトは、前記引き紐が前記ベルトから離間するのを防止する離間防止部を有することを特徴とする下半身用衣類装着補助具。
【請求項２】
前記ベルトの両端部に、前記クリップ、前記引き紐、前記離間防止部が設けられた請求項１記載の下半身用衣類装着補助具。
【請求項３】
前記離間防止部が、前記引き紐が挿通可能な袋状部である請求項１又は２記載の下半身用衣類装着補助具。
【請求項４】
前記引き紐の両端部側が前記袋状部から伸び出している請求項３記載の下半身用衣類装着補助具。
【請求項５】
前記ベルトの長手方向の長さを調整可能とする長さ調整手段をさらに備える請求項１〜３のいずれかに記載の下半身用衣類装着補助具。
【請求項６】
前記クリップが、
先端部に第１挟持部と、後端部に前記ベルトと接続する接続部とを有するクリップ本体と、
第１挟持部に対向する第２挟持部を先端部に有するとともに、前記クリップ本体側と反対側の面から外方に突出する突出部とを有し、前記クリップ本体に対して回動可能に軸支された操作レバーと、
前記クリップ本体と前記操作レバーとの間に装着され、第１挟持部と第２挟持部とを接近させる方向に付勢する付勢部材と、
を有し、
前記クリップ本体の前記接続部に前記ベルトが接続され、前記操作レバーの前記突出部に前記引き紐が接続される請求項１〜５のいずれかに記載の下半身用衣類装着補助具。
【請求項７】
前記クリップが、
先端部に第１挟持部を有し、後端部にバネ装着部と前記ベルトと接続する接続部とを有し、前記バネ装着部よりも先端部側且つ上側に支点部を有するとともに、先端部と前記支点部との中間に軸支部を有するクリップ本体と、
第１挟持部と対向する第２挟持部を先端部に有し、後端部に前記バネ装着部に掛止される掛止部と前記支点部に当接する当接部を有する板バネと、
前記軸支部よりも先端側で前記板バネに当接する押圧カム部を有するとともに、前記クリップ本体側と反対側の面から外方に突出する突出部とを有し、前記軸支部に回動自在に軸支される操作レバーとを備え、
前記板バネは前記クリップ本体と前記操作レバーとの間に装着され、第２挟持部が第１挟持部から離れる方向に付勢するとともに、前記操作レバーを前記板バネの外側で起立状態とし、
前記操作レバーが倒されて前記板バネに重ね合わせられることによって、前記押圧カム部が前記板バネを押圧して第２挟持部が第１挟持部に接近するとともに、前記押圧カムが前記軸支部よりも後端側に回動するトグル作用により、挟持部間を接近した状態で固定するクリップであって、
前記クリップ本体の後端部に前記ベルトに接続し、前記操作レバーの前記突出部に前記引き紐が接続する請求項１〜５のいずれかに記載の下半身用衣類装着補助具。
【請求項８】
前記クリップ本体が、先端部に平板状の摘み持ち部を有する請求項６又は７記載の下半身用衣類装着補助具。
【請求項９】
第１挟持部及び第２挟持部の少なくとも一方に歯状部が形成されている請求項６〜８のいずれかに記載の下半身用衣類装着補助具。
【請求項１０】
第１挟持部及び第２挟持部の少なくとも一方の先端部が曲面形状である請求項６〜８のいずれかに記載の下半身用衣類装着補助具。
【発明の詳細な説明】
【技術分野】
【０００１】
本発明は下半身用衣類装着補助具に関し、より詳細には、靴下やストッキング、ズボン、スカート、パンツなどの下半身用衣類を所望の装着位置まで引き上げるのを補助する補助具に関するものである。
【背景技術】
【０００２】
腰痛・膝痛の患者、妊婦、肥満者、高齢者などは、立位姿勢や着座姿勢で腰をかがめることが困難である。特に、人工股関節全置換手術を受けた患者は脱臼予防のため患側の股関節の過屈曲が制限されている。このため、これらの人々は一人で靴下を履くことが容易ではなく、他者に介助を求めるか、靴下履き用補助具を使用する必要がある。
【０００３】
そこで、腰をかがめることなく靴下等を履くことができる補助具がこれまで種々提案されている。例えば、特許文献１には、両端を開口させてなる柔らかい布筒部と、上開口端部に設けられた長尺状の引き紐とを有し、布筒部の下開口端部側を折り畳んで靴下内に挿入し、布筒部の外面の摩擦力によって靴下を装着位置まで引き上げる下半身用衣類装着補助具が提案されている。
【０００４】
また特許文献２には、膝を伸ばした状態で作用側先端が、装着した靴下開口部位置に届くとともに、他端が手での操作可能な位置となる長さの細長い板状の握り板と、作用側先端の外側から靴下開口部を挟むことが可能な挟持部となるように挟持機構を介して設けられた操作板とから構成される靴下装脱着補助具が提案されている。
【０００５】
そしてまた特許文献３には、靴下を係止するバネ式挟み具と、靴下が係止されたバネ式挟み具を引き上げるための操作棒と、バネ式挟み具に係止された靴下を外すためにバネ式挟み具を操作する副操作棒とを有する具部がＵ字型繋ぎ具で左右対称に接続された靴下装着補助具が提案されている。
【先行技術文献】
【特許文献】
【０００６】
【特許文献１】特開２００７−２４４７９０号公報
【特許文献２】特開２００７−１２５３２６号公報
【特許文献３】実用新案登録第３１３１５６０号
【発明の概要】
【発明が解決しようとする課題】
【０００７】
しかしながら、特許文献１に提案の補助具では、布筒部の外面と靴下との摩擦力が小さい場合には靴下を装着位置まで引き上げることができない虞がある。
【０００８】
また、特許文献２，３の補助具は板状部や棒状部を備え嵩張るため収納及び携帯性に難がある。また部材の重量が高齢者や患者にとって負担となり操作性にも難がある。
【０００９】
本発明はこのような従来の問題に鑑みてなされたものであり、靴下等の下半身用衣類の装着が一人で確実に行うことができ、しかも折りたたんで鞄等に収納可能で携帯性が高く、また非力な高齢者や患者にも操作の負担が少ない下半身用衣類装着補助具を提供することにある。
【課題を解決するための手段】
【００１０】
前記目的を達成する本発明に係る下半身用衣類装着補助具は、下半身用衣類の所望の装着位置までの引き上げを補助する下半身用衣類装着補助具であって、長尺状のベルトと、前記ベルトの長手方向の少なくとも一方端に設けられ、下半身用衣類の開口部に挟着されるクリップと、一方端側が前記クリップに接続し、他方端側に持ち手部が形成され、前記クリップ側と反対方向に引かれることにより、前記クリップの挟着状態を解除する引き紐とを備え、前記ベルトは、前記引き紐が前記ベルトから離間するのを防止する離間防止部を有することを特徴とする。
【００１１】
前記構成の下半身用衣類装着補助具において、前記ベルトの両端部に、前記クリップ、前記引き紐、前記離間防止部が設けられた構成としてもよい。
【００１２】
また前記構成の下半身用衣類装着補助具において、前記離間防止部が、前記引き紐が挿通可能な袋状部である構成としてもよい。
【００１３】
また前記構成の下半身用衣類装着補助具において、前記引き紐の両端部側が前記袋状部から伸び出している構成としてもよい。
【００１４】
また前記構成の下半身用衣類装着補助具において、前記ベルトの長手方向の長さを調整可能とする長さ調整手段をさらに備える構成としてもよい。
【００１５】
また前記構成の下半身用衣類装着補助具において、前記クリップが、先端部に第１挟持部と、後端部に前記ベルトと接続する接続部とを有するクリップ本体と、第１挟持部に対向する第２挟持部を先端部に有し、前記クリップ本体に対して回動可能に軸支された操作レバーと、前記クリップ本体と前記操作レバーとの間に装着され、第１挟持部と第２挟持部とを接近させる方向に付勢する付勢部材とを有するとともに、前記クリップ本体側と反対側の面から外方に突出する突出部とを有し、前記クリップ本体の前記接続部に前記ベルトが接続され、前記操作レバーの前記突出部に前記引き紐が接続される構成としてもよい。
【００１６】
あるいはまた前記構成の下半身用衣類装着補助具において、前記クリップが、先端部に第１挟持部を有し、後端部にバネ装着部と前記ベルトと接続する接続部とを有し、前記バネ装着部よりも先端部側且つ上側に支点部を有するとともに、先端部と前記支点部との中間に軸支部を有するクリップ本体と、第１挟持部と対向する第２挟持部を先端部に有し、後端部に前記バネ装着部に掛止される掛止部と前記支点部に当接する当接部を有する板バネと、前記軸支部よりも先端側で前記板バネに当接する押圧カム部を有するとともに、前記クリップ本体側と反対側の面から外方に突出する突出部とを有し、前記軸支部に回動自在に軸支される操作レバーとを備え、前記板バネは前記クリップ本体と前記操作レバーとの間に装着され、第２挟持部が第１挟持部から離れる方向に付勢するとともに、前記操作レバーを前記板バネの外側で起立状態とし、前記操作レバーが倒されて前記板バネに重ね合わせられることによって、前記押圧カム部が前記板バネを押圧して第２挟持部が第１挟持部に接近するとともに、前記押圧カムが前記軸支部よりも後端側に回動するトグル作用により、挟持部間を接近した状態で固定するクリップであって、前記クリップ本体の後端部に前記ベルトに接続し、前記操作レバーの前記突出部に前記引き紐が接続する構成としてもよい。
【００１７】
また前記構成の下半身用衣類装着補助具において、前記クリップ本体が、先端部に平板状の摘み持ち部を有する構成としてもよい。
【００１８】
また前記構成の下半身用衣類装着補助具において、第１挟持部及び第２挟持部の少なくとも一方に歯状部が形成されている構成としてもよい。
【００１９】
また前記構成の下半身用衣類装着補助具において、第１挟持部及び第２挟持部の先端部が曲面形状である構成としてもよい。
【発明の効果】
【００２０】
本発明の下半身用衣類装着補助具によれば、靴下等の下半身用衣類の装着が一人で確実に行うことができる。また本発明の下半身用衣類装着補助具は、折り畳むあるいは丸めて鞄等に収納可能で携帯性が高く、さらには非力な高齢者や患者にも操作の負担が少ない。
【図面の簡単な説明】
【００２１】
【図１】第１の実施形態に係る下半身用衣類装着補助具Ｓの平面図である。
【図２】図１の円Ａで囲った部分の拡大図である。
【図３】図１の円Ｂで囲った部分の拡大図である。
【図４】クリップの組立斜視図である。
【図５】クリップの開放状態を示す斜視図である。
【図６】クリップの挟持状態を示す斜視図である。
【図７】本発明の下半身用衣類装着補助具Ｓを用いて靴下を履く場合の操作手順を説明する図である。
【図８】本発明の下半身用衣類装着補助具Ｓを用いて靴下を履く場合の操作手順を説明する図である。
【図９】本発明の下半身用衣類装着補助具Ｓを用いて靴下を履く場合の操作手順を説明する図である。
【図１０】本発明の下半身用衣類装着補助具Ｓを靴下から外す場合の操作手順を説明する図である。
【図１１】第２の実施形態に係る下半身用衣類装着補助具Ｓの要部拡大図である。
【図１２】第１挟持部と第２挟持部の他の実施形態を説明する図である。
【図１３】他の実施形態に係るクリップの開放状態を示す斜視図である。
【図１４】他の実施形態に係るクリップの挟持状態を示す斜視図である。
【発明を実施するための形態】
【００２２】
以下、本発明に係る下半身用衣類装着補助具について図に基づいてより詳細に説明するが本発明はこれらの実施形態に何ら限定されるものではない。
【００２３】
（第１実施形態）
図１は、本発明に係る下半身用衣類装着補助具Ｓ（以下、単に「装着補助具」と記すことがある。）の一例を示す平面図であり、図２及び図３は図１の円Ａ及び円Ｂで囲った部分の拡大図である。
【００２４】
図１に示す装着補助具Ｓは、長尺状のベルト１と、ベルト１の長手方向の両端部に設けられたクリップ２ａと、一方端がクリップ２ａに接続し、他方端に持ち手部としての輪状部３１が形成されたワイヤ（引き紐）３とを有する。ベルト１には、両端部から中央方向に向かって袋状部４が形成されている。袋状部４の長手方向の長さはワイヤ３の長さよりも短く設定されている。換言すると、ワイヤ３の輪状部３１及び輪状部３１と反対側の端部は袋状部４から突出している。この実施形態おいて袋状部４は、ワイヤ３がベルト１から離間するのを防止する離間防止部として働きを奏する。
【００２５】
袋状部４は、ベルト１と一体に作製してもよいし、あるいはベルト１と別体に作製した後ベルト１に取り付けてもよい。袋状部４をベルト１と一体に形成する場合、例えば、長尺状のベルト１の長手方向の所定位置でベルト１を折り返して重ね合わせ、長手方向に対して垂直方向（幅方向）の両端部を接合することによって袋状部４が形成される。
【００２６】
袋状部４の長手方向中央側端部は開口部４１とされ、長手方向端部側には貫通孔４２が形成されている。ワイヤ３は袋状部４を挿通し開口部４１から輪状部３１が突出し、貫通孔４２からはワイヤ３の他方端が突出し、後述するようにクリップ２ａと接続している。
【００２７】
ベルト１の長さに特に限定はなく、使用者の体型や装着する衣類の種類などを考慮し適宜決定すればよい。ベルト１の両端部にクリップ２ａを設ける場合のベルト１の長さは、通常、１５０ｃｍ〜２００ｃｍが好適である。ベルト１が短いと衣類の装着の際に腰をかがめなければならない虞がある。一方、ベルト１が長いと持ち運びの際に嵩張ると共に、衣類装着の際の取り扱い性が悪くなる虞がある。なお、ベルト１の長手方向の長さを調整する部材をベルト１の設けてもよい。
【００２８】
図２に示すワイヤ３の輪状部３１は、ワイヤ３を長手方向中央部側（クリップ２ａ側と反対方向）に引っ張る際に利用するものである。具体的には使用者は輪状部３１に指を差し入れてワイヤ３を長手方向中央部側（図２の左方向）に引っ張る。ワイヤ３が長手方向中央部側に引っ張られることでクリップ２ａの挟着状態が解除される。本実施形態では持ち手部として輪状部３１が形成されているが、使用者がワイヤ３を長手方向中央部側に引っ張ることができる限りにおいて持ち手部の形状に特に限定はない。
【００２９】
図３に示すように、ベルト１の長手方向端部にはクリップ２ａが設けられ、袋状部４の貫通孔４２から延出したワイヤ３がクリップ２ａに接続している。なお、ワイヤ３が袋状部４から伸び出すことができれば、貫通孔４２に換えて、例えば袋状部４のもう一方端と同じように開口部としてもよい。
【００３０】
ワイヤ３の長手方向の長さは、使用者の体型や装着する衣類の種類などを考慮し適宜決定すればよいが、通常、３０ｃｍ〜５０ｃｍの範囲である。また、従来公知の長さ調整手段を設けて所望の長さに調整可能としてもよい。引き紐としては、伸縮しないものであればワイヤ３の他に従来公知のものを使用できる。ただし、携帯性や作業性を考慮すると、軽量で引張強度の高いものが望ましい。この点でワイヤ３が好適である。
【００３１】
（クリップ）
以下、本実施形態で使用するクリップ２ａについて説明する。図４にクリップ２ａの組立斜視図、図５にクリップ２ａの開放状態を示す斜視図、図６に挟持状態を示す斜視図をそれぞれ示す。なお、これらの図における前後方向、上下方向及び幅方向が装着補助具Ｓの前後方向、上下方向及び幅方向である。
【００３２】
図４に示すように、クリップ２ａは、クリップ本体５と、板バネ６と、操作レバー７とを備える。クリップ本体５は、前後方向に長い長方形状の本体基部５１と、本体基部５１の先端部から上方に立ち上がった第１挟持部５２と、本体基部５１の後端部から本体基部５１に対して略垂直上方に立ち上がり、幅方向中央部に掛止開口５３１が形成されたバネ装着部５３と、本体基部５１のバネ装着部５３よりも先端部側で本体基部５１の幅方向両端から本体基部５１に対して略垂直上方に立ち上がった一対の軸支部５４ａ，５４ｂとを有する。また、クリップ本体５の先端部下面には円盤状の摘み持ち部５５が形成されている。
【００３３】
バネ装着部５３には、幅方向に長い四角いリング形状の接続部材５６が挿通される。リング形状の接続部材５６の幅方向の開口長さはベルト１の幅よりも若干長く設定されている。接続部材５６は、板バネ６及び操作レバー７が本体基部５１に取り付けられると、クリップ本体５から取り外し不能となる。なお、接続部材５６はクリップ本体５と一体に成形しても構わない。
【００３４】
本体基部５１から立ち上がった一対の軸支部５４ａ，５４ｂには、上下方向中間部において後側縁に段差が形成されている。この段差の後側の角部が、板バネ６が当接する支点部５４１ａ，５４１ｂとなる。また、一対の軸支部５４ａ，５４ｂの支点部５４１ａ，５４１ｂよりも上方に円形状の軸支孔５４２ａ，５４２ｂが形成されている。
【００３５】
板バネ６は、前後方向に長い略長方形状を有し、先端部は下方に屈曲されて、第１挟持部５２と対向する第２挟持部６１とされている。そして、第２挟持部６１の下端縁は歯状部とされている。なお、クリップ本体５の第１挟持部５２と板バネ６の第２挟持部６１とは対向する位置に配置されているが、本実施形態では前後方向に若干ずれた位置に配置されている。すなわち、図６に示すように、クリップ２ａが挟持状態となったときに、第１挟持部５２の上端部と第２挟持部６１の下端部とは近接するが当接はしない。クリップ２ａに高い挟持力を生じさせながら衣類の損傷を抑える観点からである。もちろん装着補助具Ｓを引張に強い衣類の装着補助に使用する場合は、クリップ２ａが挟持状態となったときに第１挟持部５２の上端部と第２挟持部６１の下端部とが当接するようにしても構わない。
【００３６】
板バネ６の後端の幅方向中央部から後方に掛止部６２が突出して形成されている。また、板バネ６の後端の幅方向両端から幅方向外方向に当接部６３ａ，６３ｂが突出して形成されている。
【００３７】
操作レバー７は、板バネ６よりも幅方向及び前後方向に大きい略長方形状のレバー本体７１と、レバー本体７１の後端部から下方に屈曲形成された押圧カム部７２と、レバー本体７１の先端部の上面から上方に突出した突出部７３とを有する。突出部７３にはワイヤ３を接続するための接続孔７３１が形成されている。押圧カム部７２の上下方向略中央部には幅方向にそれぞれ外方に突出するように一対の軸部７４ａ，７４ｂが形成されている。
【００３８】
次に、クリップ２ａの組み立てについて説明する。まず、クリップ本体５のバネ装着部５３に形成された掛止開口５３１に板バネ６の掛止部６２を挿入する。板バネ６の掛止部６２を掛止開口５３１に挿入すると、板バネ６は自重によって掛止部６２を中心として先端部が下方に回転して、板バネ６の当接部６３ａ，６３ｂがクリップ本体５の支点部５４１ａ，５４１ｂに当接し、第１挟持部５２と第２挟持部６１とが離隔対向した開放状態で板バネ６はクリップ本体５に保持される。次いで、操作レバー７の一対の軸部７４ａ，７４ｂをクリップ本体５の一対の軸支孔５４２ａ，５４２ｂに係入する。これにより操作レバー７の押圧カム部７２が板バネ６に当接し、板バネ６の付勢力によって操作レバー７は板バネ６の外側で起立状態となる（図５を参照）。
【００３９】
そして、操作レバー７の突出部７３に形成された接続孔７３１にワイヤ３が接続され、クリップ本体５の接続部材５６にベルト１が接続される。
【００４０】
このような構造のクリップ２ａで衣類を挟持する場合は、第１挟持部５２と第２挟持部６１との間に衣類を挿入し、操作レバー７を倒して板バネ６に重ね合わる。このとき摘み持ち部５５を利用すると操作レバー７に力を加えやすくなり、板バネ６の付勢力に抗して操作レバー７を容易に倒すことができるようになる。操作レバー７が倒されると、押圧カム部７２が板バネ６を押圧して第２挟持部６１が第１挟持部５２に接近するとともに、押圧カムが軸支孔５４２ａ，５４２ｂよりも後端側に回動するトグル作用により、挟持部間が接近した状態で固定される（図６を参照）。つまり、衣類がクリップ２ａで挟持される。図６に示すように、このときワイヤ３は袋状部４から前方向に最も引き出された状態となり、ワイヤ３の輪状部３１は袋状部４の開口部４１から外側の直近位置にある（図２を参照）。
【００４１】
（衣類の装着）
以上説明した装着補助具Ｓを用いての衣類の装着手順を靴下を例に図７〜図９に基づいて説明する。なお、これらの図における紙面に対して垂直方向、上下方向及び左右方向が、靴下装着時の上下方向、幅方向及び前後方向となる。
【００４２】
図７に示すように、使用者は、靴下の踵部が下側、甲部が上側となるように靴下の向きを整え、履き口を挟んで幅方向の対向する位置にクリップ２ａを取り付ける。クリップ２ａの靴下への取り付けは前述のとおりである。そして、使用者は椅子などに座った状態又は立った状態で、足の指よりも前方に靴下を投下し位置させる。あるいは、靴下を床面の所定位置に載置した後、使用者が、足の指よりも前方に靴下が位置するように足を移動させる。
【００４３】
次いで、図８に示すように、使用者は装着補助具Ｓの足の両側に位置するベルト１の両端部を後方に引張り、靴下の履き口に足の指を挿入させる。ベルト１の両端部は左右の手でそれぞれ操作することが推奨される。靴下の履き口に足の指が入れば、踵を若干浮かせて爪先を前に伸ばした状態としてベルト１の両端部を上方に引き上げる。もちろん、踵を付けた状態であってもベルト１の引き上げを若干強くすれは靴下は装着可能である。
【００４４】
そして、図９に示すように、靴下が足に完全に装着された状態となるまでベルト１の両端部を上方に引き上げる。
【００４５】
図１０に示すように、靴下が足に完全に装着されると、ワイヤ３の輪状部３１に指を掛けて図１０において斜め右上方に引っ張る。すると、ワイヤ３の下端部に接続しているクリップ２ａの操作レバー７が、ワイヤ３によって倒伏状態（図６を参照）から起立状態（図５を参照）に引き起こされる。これにより、クリップ２ａの第１挟持部５２と第２挟持部６１とによる靴下の挟持が解除され、装着補助具Ｓは靴下から外れる。
【００４６】
このような本発明の装着補助具Ｓを用いた靴下の装着動作によれば、使用者は腰をかがめることなく容易に靴下を履くことができるようになる。また、本発明の装着補助具Ｓでは、ベルト１及びワイヤ３などが折り畳むあるいは丸めることが可能であるため、鞄やポケットなどの収納して携帯することが可能となる。また本発明の装着補助具Ｓは総重量が数十グラムに抑えることも可能であるので、高齢者の患者などにとって操作性及び携帯性の負担が大きく軽減され得る。
【００４７】
本発明の装着補助具Ｓは、靴下の他にもズホンやスカート、ストッキングなど従来公知の下半身用衣類に対して前記と同様の手順で装着補助が可能である。
【００４８】
（第２実施形態）
図１１に、本発明に係る装着補助具Ｓの第２実施形態を示す。この図に示す装着補助具は、長手方向の一方端のみにクリップ２ａが設けられた２本ベルト１ａ，１ｂと長さ調整部材１１とを有し、クリップ２ａが設けられていないベルト１ａ，１ｂの長手方向の他方端がそれぞれ長さ調整部材１１に接続されている。なお、クリップ２ａ、袋状部４及びワイヤ３の構造及びそれらの取り付けについては第１実施形態と同じでありこの図では省略している。
【００４９】
長さ調整部材１１は、四角形状の枠体１１１と、枠体１１１内において長手方向に対して垂直方向で且つ長手方向に所定距離隔てて設けられた２本の棒状の桟部１１２，１１３とが一体成型されている。長さ調整部材１１の材質は、所望の強度を有する限りにおいて樹脂、金属などいずれの材質であっても構わない。
【００５０】
長さ調整部材１１にベルト１ａを取り付けるには、例えば、ベルト１ａの他方端を２本の桟部１１２と桟部１１３との間に挿入し折り返してベルト１ａを桟部１１１に巻き付け、ベルト１ａの他方端がベルト１ａの中間部と重なるようにして枠体１１１から外へ引き出せばよい。もう一本のベルト１ｂについても同様にして桟部１１３にベルト１ｂを巻き付けて長さ調整部材１１に取り付ければよい。この長さ調整部材１１によれば、長さ調整部材１１からのベルト１ａ，１ｂの他端部の引き出し量によってベルト１ａ，１ｂの長さが調整可能となる。
【００５１】
このような構成の装着補助具によれば、装着補助具を使用する人の体型や装着する衣類などに合わせて２本のベルト１ａ，１ｂの全体長さを所望の長さに調整することができ、操作性や作業性が向上する。
【００５２】
（その他の実施形態Ａ）
前述の実施形態で用いていたクリップ２ａでは第２挟持部６１の下端縁が歯状部とされていたが、例えばストッキングといった強度の弱い衣類の場合には歯状部によって挟持すると衣類を傷める虞がある。そこで、図１２に示すように、第１挟持部５２と第２挟持部６１の先端部を曲面形状とし、第１挟持部５１と第２挟持部６２との挟持による衣類の損傷を抑制するようにしてもよい。
【００５３】
（その他の実施形態Ｂ）
図１３及び図１４に、本発明で使用可能なクリップの他の形態を示す。なお、図１３はクリップ２ｂの開放状態を示す斜視図であり、図１４はクリップ２ｂの挟持状態を示す斜視図である。また、これらの図における前後方向、上下方向及び幅方向がクリップ２ｂの前後方向、上下方向及び幅方向である。
【００５４】
これらの図に示すクリップ２ｂは、クリップ本体８と、ねじりコイルバネ（付勢手段）ＳＰと、操作レバー９とを備える。クリップ本体８は、前後方向に長い長方形状の本体基部８１と、本体基部８１の先端部から上方に立ち上がった第１挟持部８２と、本体基部８１の後端部に取り付けられた四角いリング形状の接続部材８３と、本体基部８１の幅方向両端から本体基部８１に対して略垂直上方に立ち上がった一対の軸支部８４ａ，８４ｂとを有する。一対の軸支部８４ａ，８４ｂにはそれぞれ対向位置に軸支孔（不図示）が形成されている。
【００５５】
操作レバー９は、クリップ本体８とほぼ同じ形状のレバー本体９１と、レバー本体９１の先端部の第２挟持部９２と、レバー本体９１の後端部から下方且つ前方に屈曲形成され幅方向に離隔対向した一対の支持部９３ａ，９３ｂと、レバー本体９１の先端部の上面から上方に突出した突出部９４とを有する。一対の支持部９３ａ，９３ｂの先端部の対向位置には支持孔９５ａが形成されている。また、突出部９４にはワイヤ３を接続するための接続孔９４１が形成されている。
【００５６】
操作レバー９とクリップ本体８とは、操作レバー９の支持孔９５ａとクリップ本体８の軸支孔（不図示）とが幅方向から見て重なるように配置され、軸部材Ｐが支持孔９５ａ，９５ｂと軸支孔（不図示）とに挿通されることにより、操作レバー９はクリップ本体８に揺動可能に取り付けられる。また同時に、軸部材Ｐの外周にはねじりコイルバネＳＰが取り付けられている。ねじりコイルバネＳＰの一方端は本体基部８１の後端部上面に圧接し、ねじりコイルバネＳＰの他方端はレバー本体９１の後端部下面に圧接している。これにより、第２挟持部９２と第１挟持部８２とは、ねじりコイルバネＳＰによって接近する方向に常に付勢されている。
【００５７】
そして、クリップ本体８の接続部材８３にワイヤ３が接続され、操作レバー９の突出部９４にワイヤ３が接続される
【００５８】
このような構造のクリップ２ｂで衣類を挟持する場合には、クリップ本体８の後端部と操作レバー９の後端部とを摘んで両者が接近する方向に力を加える。すると、ねじりコイルバネＳＰの付勢力に抗して第１挟持部８２と第２挟持部９２とが離れる方向にクリップ本体８と操作レバー９とが軸部材Ｐを中心として回動しクリップ２ｂは開放状態となる。このような開放状態で第１挟持部８２と第２挟持部９２との間に衣類を差し入れる。その後、クリップ本体８の後端部と操作レバー９の後端部とに加えていた力を解除する。すると、ねじりコイルバネＳＰの付勢力によって第１挟持部８２と第２挟持部９２とが接近する方向に回動し衣類がクリップ２ｂで挟持される。
【００５９】
クリップ２ｂで衣類を挟持した後、衣類を所望の装着位置まで引き上げる手順は前述の実施形態の場合と同様である。所望の装着位置まで衣類が引き上げられると、使用者はワイヤ３の輪状部３１に指を掛けて上方に引っ張る。すると、ワイヤ３の下端部に接続しているクリップ２ｂの操作レバー９がねじりコイルバネＳＰの付勢力に抗して第１挟持部８２と第２挟持部９２とが離れる方向に回動する。これにより、クリップ２ｂの第１挟持部８２と第２挟持部９２とによる衣類の挟持が解除されクリップ２ｂは衣類から外れる。
【産業上の利用可能性】
【００６０】
本発明の下半身用衣類装着補助具によれば、靴下等の下半身用衣類の装着が一人で確実に行うことができ、また折りたたんで鞄等に収納可能で携帯性が高く、さらには非力な高齢者や患者にも操作の負担が少なく有用である。
【符号の説明】
【００６１】
１    ベルト
１ａ，１ｂ    ベルト
２ａ，２ｂ    クリップ
３    ワイヤ（引き紐）
４    袋状部（離間防止部）
５    クリップ本体
５１  本体基部
５２  第１挟持部
５３  バネ装着部
５５  摘み持ち部
５６  接続部
５４１ａ，５４１ｂ  支点部
５４ａ，５４ｂ  軸支部
６    板バネ
６１  第２挟持部
６２  掛止部
６３ａ，６３ｂ  当接部
７    操作レバー
７２  押圧カム部
７３  突出部
８    クリップ本体
８１  本体基部
８２  第１挟持部
８３  接続部
９    操作レバー
９１  レバー本体
９２  第２挟持部
９４  突出部
１１  長さ調整部材
ＳＰ  ねじりコイルバネ（付勢部材）
【図１】
2019072051.tif 000003
【図２】
2019072051.tif 000004
【図３】
2019072051.tif 000005
【図４】
2019072051.tif 000006
【図５】
2019072051.tif 000007
【図６】
2019072051.tif 000008
【図７】
2019072051.tif 000009
【図８】
2019072051.tif 000010
【図９】
2019072051.tif 000011
【図１０】
2019072051.tif 000012
【図１１】
2019072051.tif 000013
【図１２】
2019072051.tif 000014
【図１３】
2019072051.tif 000015
【図１４】
2019072051.tif 000016